(57)【要約】【課題】、屋根材同士を連結するに際し、簡単で、しかも、経済性に富んだ加工材による強度的にも優れたジョイント部を備え、また、容易且つ安価に作製することができる屋根材を提供する。【解決手段】本考案に係る屋根材１は、屋根材１の前端縁部に沿って内側に折り込むことで形成された前側ジョイント部２と、屋根材１の後端縁部に沿って略Ｌ字型に折り込むことで形成された後側ジョイント部３を備えている。また、屋根材１の端縁部に沿って折り込むことで形成された水切り用の横繋ぎジョイント部８Ａを備えている。さらに、屋根材１の後側ジョイント部３側には、当該屋根材１の端縁部全体を繋ぎ合わせるように別体に形成された重ね葺きジョイント部材４を取付可能にした。【選択図】　　　　　図１
0003099587.tif 000002
【実用新案登録請求の範囲】
【請求項１】
屋根材の前端縁部に沿って内側に折り込むことで形成された前側ジョイント部と、屋根材の後端縁部に沿って略Ｌ字型に折り込むことで形成された後側ジョイント部を備えていることを特徴とする屋根材。
【請求項２】
屋根材の端縁部に沿って折り込むことで形成された水切り用の横繋ぎジョイント部を備えている請求項１に記載の屋根材。
【請求項３】
屋根材の後側ジョイント部側には、当該屋根材の端縁部全体を繋ぎ合わせるように別体に形成された重ね葺きジョイント部材を取付可能にした請求項１または２に記載の屋根材。
【請求項４】
屋根材の後側ジョイント部と、屋根材に取り付けられた重ね葺きジョイント部材との間に、水切り部材を取付可能にした請求項１乃至３のいずれかに記載の屋根材。
【請求項５】
屋根材の後側ジョイント部は、直角に上方へ折り込まれた上方折り込み部と、上方折り込み部の上端から下方へ折り返した下方折り返し部と、下方折り返し部の下端から外側へ直角に折り込まれ、締結部材によって固定可能にした水平折り込み部とから成る請求項１乃至４のいずれかに記載の屋根材。
【考案の詳細な説明】
【０００１】
【考案の属する技術分野】
本考案は、主として、戸建て一般住宅の屋根の斜め重ね張り施工、段葺き施工等による金属製及び非金属製の葺き上げ材料として使用される屋根材に関するものである。
【０００２】
【従来技術】
従来における一般住宅の屋根の葺き上げ材料は、例えば、折り曲げ成型機等により金属製または非金属製の板材を折り込み加工することによってジョイント部材を一貫製品として形成しておき、この固定されたジョイント部材を介して屋根材の横繋ぎ部分同士、或るいは、縦繋ぎ部分同士を挿着して連結する構成となっている。
【０００３】
【特許文献１】
特に無し
【０００４】
【考案が解決しようとする課題】
しかしながら、従来のように別部材としてのジョイント部材を使用したものでは、屋根材同士の固定部分が非常に弱くなるため、屋根材が、例えば、蛇行状等に変形し易いものとなり、脆弱な連結構造となる欠点を有していた。
【０００５】
そこで、本考案は叙上のような従来存した諸事情に鑑み創案されたもので、屋根材同士を連結するに際し、簡単で、しかも、経済性に富んだ加工材による強度的にも優れたジョイント部を備え、また、容易且つ安価に作製することができる屋根材を提供することを目的とする。
【０００６】
【課題を解決するための手段】
上述した目的を達成するため、本考案に係る屋根材は、屋根材の前端縁部に沿って内側に折り込むことで形成された前側ジョイント部と、屋根材の後端縁部に沿って略Ｌ字型に折り込むことで形成された後側ジョイント部を備えていることで、上述した課題を解決した。
【０００７】
また、屋根材の端縁部に沿って折り込むことで形成された水切り用の横繋ぎジョイント部を備えていることで、同じく上述した課題を解決した。
【０００８】
さらに、屋根材の後側ジョイント部側には、当該屋根材の端縁部全体を繋ぎ合わせるように別体に形成された重ね葺きジョイント部材を取付可能にしたことで、同じく上述した課題を解決した。
【０００９】
また、屋根材の後側ジョイント部と、屋根材に取り付けられた重ね葺きジョイント部材との間に、水切り部材を取付可能にしたことで、同じく上述した課題を解決した。
【００１０】
加えて、屋根材の後側ジョイント部は、直角に上方へ折り込まれた上方折り込み部と、上方折り込み部の上端から下方へ折り返した下方折り返し部と、下方折り返し部の下端から外側へ直角に折り込まれ、締結部材によって固定可能にした水平折り込み部とから成ることで、同じく上述した課題を解決した。
【００１１】
【考案の実施の形態】
以下に、本考案の一実施の形態を図面を参照して説明する。本考案に係る屋根材１は、例えば、斜め重ね張り施工、段葺き施工等による鉄・ステンレススチール・アルミニウム・銅等の金属製、或るいは、ニューセラミックス・ファインセラミックス・ガラス・コンクリート等の非金属製の葺き上げ材料として使用される縦方向の長さが約３５０ｍｍ程度、横方向の長さが約９２０ｍｍ〜４０００ｍｍ程度を有するものであり、表面の柄を亀波状、立波状、フラット状等に形成している。
【００１２】
この屋根材１は、図１に示すように、前端縁部に沿って約４０ｍｍの部分を内側に向けて略コ字型に折り込むことで、前側ジョイント部２を形成している。また、後端縁部には、長手方向の全長に沿って手動により約７０ｍｍの部分を、上方折り込み部３Ａ、下方折り返し部３Ｂとして全体を略Ｌ字型に折り込むことで形成した後側ジョイント部３を備えている。この屋根材１の下面側における前側ジョイント部２と後側ジョイント部３との間には、図２・図４に示すように、断熱材６を配設してある。
【００１３】
屋根材１の後側ジョイント部３は、図２・図３に示すように、約１０ｍｍの長さを直角に上方へ折り込んで形成した上方折り込み部３Ａと、上方折り込み部３Ａの上端から約５０ｍｍの長さに下方へ折り返した下方折り返し部３Ｂと、下方折り返し部３Ｂの下端から外側へ約１０ｍｍの長さに直角に折り込んで形成した水平折り込み部３Ｃとから成る。この水平折り込み部３Ｃは、約２００ｍｍ〜４００ｍｍ位の間隔でリベットまたはビス等の締結部材７により野地板部材上に固定可能にしてある。また、屋根材１の前側ジョイント部２は、図１・図３に示すように、約２５ｍｍの長さに下方へ直角に折り曲げた下方折り込み部２Ａと、約１５ｍｍの長さに内側へ直角に折り込んで形成した水平折り込み部２Ｂと、約１０ｍｍの長さに内側に折り返して形成した前方折り返し部２Ｃとから成る。さらに、図４に示すように、屋根材１の左右両端縁部のいずれか一方側には、長手方向に沿って幅員約４０ｍｍ程度の略コ字枠型に折り込んで形成された水切り用の横繋ぎジョイント部８Ａを備え、隣に配置される他の屋根材１の左右両端縁部のいずれか他方側に下方へ約２０ｍｍ程度折り込んで形成されている下方折り込み部８Ｂを係合させるようにしてある。
【００１４】
屋根材１の後側ジョイント部３側には、当該屋根材１の端縁部全体を繋ぎ合わせるよう、別体に形成された重ね葺きジョイント部材４を取付可能にしてある。この重ね葺きジョイント部材４は、図１に示すように、屋根材１の上面の前側ジョイント部２から後方約２８０ｍｍの位置にリベットまたはビス等の締結部材７により固定される幅員約２０ｍｍ程度のコ字型枠部４Ａと、コ字型枠部４Ａの一端起立縁部から水平方向に直角に折り曲げた長さ約１０ｍｍ程度の水平折り込み部４Ｂと、水平折り込み部４Ｂの先端を内側へ折り返した長さ約５ｍｍ程度の後方折り返し部４Ｃとから成る。このとき、一方の屋根材１に固定した重ね葺きジョイント部材４の水平折り込み部４Ｂに対し、他の屋根材１の前側ジョイント部２の水平折り込み部２Ｂを係合させることで、屋根材１同士を連結できるようにしてある。
【００１５】
また、屋根材１の後側ジョイント部３と、屋根材１に取り付けられた重ね葺きジョイント部材４との間には、水切り部材５を取付可能にしてある。この水切り部材５は、図１に示すように、約１０ｍｍ程度の長さの垂直な起立面部５Ａと、起立面部５Ａの下端縁部に沿って水平に折り曲げて形成され、リベットまたはビス等の締結部材７により屋根材１上に固定される幅員約２０ｍｍ程度の下側水平面部５Ｂと、起立面部５Ｂの上端縁部に沿って水平に折り曲げて形成した上側水平面部５Ｃとから成る。これにより、屋根材１の軒下から軒上へ向けての雨風の浸入を防ぐ塞き止め構造を形成している。しかも、前記した後側ジョイント部３の上方折り込み部３Ａ、下方折り返し部３Ｂそれぞれを介して全体を略Ｌ字型に折り込むことで形成した後側ジョイント部３は、屋根材１同士が組み合わさった際に、防波堤の役目をし、屋根材１相互の重ね合わせ部分から野地板内への雨風等の浸入を防止すると共に、重ね合わせ部分における屋根材１相互の安定性も良好なものとし、強度的にも優れた葺き上がり構造を実現している。
【００１６】
次に、以上のように構成された本考案の一実施の形態について、使用、組立、施工法の一例を説明する。まず、図３に示すように、前側ジョイント部２を形成している屋根材１の後端縁部において、長手方向の全長に沿って約７０ｍｍ程度の部分を手動により略Ｌ字型に折り込むことで後側ジョイント部３を形成する。そして、屋根材１の下面側に断熱材６を装着した後、屋根材１の上面の前側ジョイント部２から後方約２８０ｍｍの位置に重ね葺きジョイント部材４をリベットまたはビス等の締結部材７により固定する。さらに、屋根材１の後側ジョイント部３と、屋根材１に取り付けられた重ね葺きジョイント部材４との間に、水切り部材５をリベットまたはビス等の締結部材７により取り付ける。加えて、屋根材１の両端縁部には、長手方向に沿って水切り用の横繋ぎジョイント部８Ａを形成しておく。また、屋根材１の後側ジョイント部３の水平折り込み部３Ｃを、約２００ｍｍ〜４００ｍｍ位の間隔でリベットまたはビス等の締結部材７により野地板部材上に固定する。そして、一方の屋根材１に固定した重ね葺きジョイント部材４の水平折り込み部４Ｂに、他の屋根材１の前側ジョイント部２の水平折り込み部２Ｂを係合させることで屋根材１同士を連結し、他の屋根材１の後側ジョイント部３の水平折り込み部３Ｃを、リベットまたはビス等の締結部材７により野地板部材上に固定することで、屋根材１を順次葺き上げて行く。また、図４に示すように、屋根材１の左右両端縁部のいずれか一方側の水切り用の横繋ぎジョイント部８Ａに断熱材６を嵌め込んでから、当該断熱材６を覆うようにして、隣に配置される他の屋根材１の左右両端縁部のいずれか他方側の下方折り込み部８Ｂを係合させることで、同様に隣接する屋根材１を順次葺き上げて行く。
【００１７】
【考案の効果】
本考案は以上のように構成されているために、屋根材１同士を連結するに際し、簡単で、しかも、経済性に富んだ加工材による強度的にも優れたジョイント部を備え、また、容易且つ安価に作製可能な屋根材１を提供することができる。
【図面の簡単な説明】
【図１】本考案を実施する最良の形態における屋根材の組み付け手順を説明するための斜視図である。
【図２】屋根材の組付状態を示した断面図である。
【図３】屋根材の後側ジョイント部の形成手順を説明するための断面図である。
【図４】屋根材の横繋ぎジョイント部の一例を示す一部切欠の斜視図である。
【符号の説明】
１…屋根材
２…前側ジョイント部　　　　　　２Ａ…下方折り込み部
２Ｂ…水平折り込み部　　　　　　　２Ｃ…前方折り返し部
３…後側ジョイント部　　　　　　３Ａ…上方折り込み部
３Ｂ…下方折り返し部　　　　　　　３Ｃ…水平折り込み部
４…重ね葺きジョイント部材
５…水切り部材　　　　　　　　　５Ａ…起立面部
５Ｂ…下側水平面部　　　　　　　　５Ｃ…上側水平面部
６…断熱材　　　　　　　　　　　　７…締結部材
８Ａ…横繋ぎジョイント部　　　　　８Ｂ…下方折り込み部
【図１】
0003099587.tif 000003
【図２】
0003099587.tif 000004
【図３】
0003099587.tif 000005
【図４】
0003099587.tif 000006